(57)【特許請求の範囲】
【請求項１】
建造物における躯体内面部を、防湿断熱体で覆い、さらにその内部側を被収蔵物の収蔵室としてなる収蔵庫において、
上記防湿断熱体は内部に発泡断熱材を充填し、周部をアルミ板材で被覆する防湿断熱ボード材とされ、
該防湿断熱体の収蔵室側には、珪藻頁岩もしくは珪藻土の粉砕物、あるいはこれと他のセラミック原料とを混合して焼成されるセラミックからなるパネル体が配設され、
該パネル体は、防湿断熱体との間に間隙が形成されるよう防湿断熱体の収蔵庫内側に支持される軸組に支持される板材に被着されて収蔵室の内面材を形成することとしてなる収蔵庫。
【請求項２】
建造物内に配設され、全体を防湿断熱体で囲繞する函状体とされ、その内部側を被収蔵物の収蔵物としてなる収蔵庫において、
上記防湿断熱体は内部に発泡断熱材を充填し、周部をアルミ板材で被覆する防湿断熱ボード材とされ、
該防湿断熱体の収蔵室側には、珪藻頁岩もしくは珪藻土の粉砕物、あるいはこれと他のセラミック原料とを混合して焼成されるセラミックからなるパネル体が配設され、
該パネル体は防湿断熱体との間に間隙が形成されるよう防湿断熱体の収蔵庫内側に支持される軸組に支持される板材に被着されて収蔵室の内面材を形成することとしてなる収蔵庫。
【発明の詳細な説明】
【０００１】
【発明の属する技術分野】
本発明は、例えば書画、骨董など、貴重な書籍、文献、美術品、道具類などを温度、湿度の変化による劣化から保存するのに好適な収蔵庫に関する。
【０００２】
【従来の技術】
美術館、博物館の収蔵庫には、歴史的にも、美術的にも貴重な書画、文献等の被収蔵物が収蔵されるところである。ところで最近では、寺社の建替えや美術館・博物館の建替えにおいて、これら貴重な被収蔵物を収蔵するための収蔵庫を建物と一体に、あるいは別棟に建設することが多く見受けられる。こうした収蔵庫を建造する場合、耐火性、あるいは防犯性を考慮して、例えばコンクリート躯体の内部に形成することがほとんどである。
【０００３】
ただ、コンクリート躯体からなる建造物内に、こうした収蔵庫を建設する場合、外気との寒暖差によりコンクリート躯体に結露が発生したり（特に四季の温度変化による相対湿度の変化による）、またコンクリートから水分が発生する不具合がある。こうした湿度変化は、収蔵庫内に収蔵される被収蔵物の大敵とされ、彫刻、絵画や書に亀裂、剥離、剥落、変褪色、シミなどを発生させたり、場合によってはカビや害虫を発生させる場合がある。
【０００４】
こうしたことから従来のコンクリート躯体からなる建造物内に収蔵庫を建設する場合、例えば図９に示すような構造を用いるようにしていた。すなわち、この建造物はコンクリート躯体１の室内側の内壁面１Ａ（躯体内面部）上を、内壁面１Ａとの間に間隙２を形成する状態で防湿ボード材３（防湿調湿体）で覆うようにしている。防湿ボード材３は、躯体１側にアルミ板材３Ａを、室内側に調湿ボード３Ｂを配設して構成され、両者を貼り合わせるようにして構成してなる。
【０００５】
一方、コンクリート躯体１の床面１Ｂ上には、例えば木製からなる桁材８や梁材（不図示）が配設され、その上面に床板材５を支持して構成するようにしている。防湿ボード材３の室内側には、木製の軸組４が配設され、この軸組４は石こうボード３Ｂに、例えば釘打ちするように支持される。この軸組４に対しては、ベニア板や杉板及び桐製の板材からなる壁板材６が支持され、こうした壁板材６と床板材５に囲まれるコンクリート躯体１の内面側を、被収蔵物の収蔵室７にすることとしてなる。
【０００６】
このようにして構成される収蔵庫にあっては、コンクリート躯体１が日光等により温度上昇した場合に、水分が発生し易い内壁面１Ａ側が、防湿ボード材３の特にアルミ板材３Ａにより遮蔽されているため、収蔵室７に対して水蒸気や、揮発性分が侵入することが予防される。また防湿ボード材３の調湿ボード３Ｂにより、熱遮断性が増加し、外気の寒暖差が収蔵室７側に伝導することが緩和され、収蔵室７内の空調性が増すこととなる。加えて、コンクリート躯体１の内壁面１Ａと防湿ボード材３との間に間隙２が形成されるため、たとえ内壁面１Ａに結露が発生した場合においても、収蔵室７側へ侵入することが防止されることとなる。
【０００７】
さらに木製の床板材５や壁板材６にあっては、空気中の水分を吸収、発散することとなり、収蔵室７内の空気の湿度を一定の状態に保つ調湿機能を果たすこととなる。
【０００８】
【発明が解決しようとする課題】
ところで、上記のようにして形成される従来の収蔵庫にあっては、例えば壁板材６をベニア板や杉板及び桐製の板材で形成するようにしているが、ベニア板としてはホルマリン材や他の薬剤を使用せず、また接着剤においても揮発性の少ない特注品が採用される。理由としては、一般のベニア材において発生するホルマリンや揮発性分等においては、これらが被収蔵物（特に色彩のある絵画）に悪影響を及ぼす恐れがある。また、木地の木材使用の場合は、木材の脂分、香りの成分が資料（被収蔵物）の劣化の原因となるため、杉板、桐板が使用されるが、杉板は無節が最適とされるが、大変高価なものとされる。さらに、壁板材６に桐製の板材を採用する場合においては、無節の杉板よりもさらに高価なものとなる。
【０００９】
加えて、こうした壁板材６は、基本的に木製で、収蔵室７内の断熱性を直接の目的としていないため、収蔵室７の恒温恒湿を維持するためには、２４時間空調機を運転することを余儀なくされるため、空調機のエネルギーコストが嵩む問題が従来の大きな課題であった。
【００１０】
上記の点から出願人は、安価な構成により収蔵室内の調湿性能、空調性能を向上し、エネルギーコストの低減を可能にする収蔵庫を提供できるよう試行錯誤を行ったところである。
【００１１】
そのような状況の中、出願人は珪藻頁岩もしくは珪藻土の粉砕物、あるいはこれと他のセラミック原料とを混合して焼成されるセラミックからなるパネル体が、収蔵室の室内空間に用いる材料（例えば壁材）として最も適していることを確認し、本発明を行うに至ったところである。
【００１２】
【課題を解決するための手段】
すなわち、本発明は建造物における躯体内面部を、防湿断熱体で覆い、さらにその内部側を被収蔵物の収蔵室としてなる収蔵庫において、上記防湿断熱体は内部に発泡断熱材を充填し、周部をアルミ板材で被覆する防湿断熱ボード材とされ、該防湿断熱体の収蔵室側には、珪藻頁岩もしくは珪藻土の粉砕物、あるいはこれと他のセラミック原料とを混合して焼成されるセラミックからなるパネル体が配設され、該パネル体は、防湿断熱体との間に間隙が形成されるよう防湿断熱体の収蔵庫内側に支持される軸組に支持される板材に被着されて収蔵室の内面材を形成することとしたものである。
【００１３】
また、本発明は、建造物内に配設され、全体を防湿断熱体で囲繞する函状体とされ、その内部側を被収蔵物の収蔵物としてなる収蔵庫において、上記防湿断熱体は内部に発泡断熱材を充填し、周部をアルミ板材で被覆する防湿断熱ボード材とされ、該防湿断熱体の収蔵室側には、珪藻頁岩もしくは珪藻土の粉砕物、あるいはこれと他のセラミック原料とを混合して焼成されるセラミックからなるパネル体が配設され、該パネル体は、防湿断熱体との間に間隙が形成されるよう防湿断熱体の収蔵庫内側に支持される軸組に支持される板材に被着されて収蔵室の内面材を形成することとしたものである。
【００１４】
【発明の実施の形態】
以下、本発明の一実施形態（請求項１に対応）を図１ないし図５に基づいて説明する。図２および図３は、実施形態に係る収蔵庫の収蔵室１０の内部を示すものである。すなわち、この収蔵室１０内には、書画、美術品、工芸品などの被収蔵物が、例えばラックやロッカーなどに収蔵させる状態で収容可能とされ、こうした収蔵室１０は図１に示すような、コンクリート躯体１１からなる建造物の室内側において画成させるようにしている。
【００１５】
室内空間を画成するコンクリート躯体１１は、内壁部１１Ａ、床面部１１Ｂ、天井部１１Ｃからなる各内面部を備え、このうち先ず内壁部１１Ａ上を、内壁部１１Ａとの間に間隙１２を形成する状態で防湿断熱ボード材１３（防湿断熱体）で覆うようにしている。防湿断熱ボード材１３は床面部１１Ｂから天井部１１Ｃまで立設される方形状のパネル体とされ、内部に発泡断熱材１３Ｂ（例えば発泡ウレタン材）を充填してなり、その周部をアルミ板材１３Ａにより被覆して形成してなる。これにより防湿断熱ボード材１３で隔てられた空間同士に、温度差が生じていても、該ボード材１３の内外面において結露が発生することはない。
【００１６】
すなわち、全体パネル体からなる防湿断熱ボード材１３は、上端部において、天井部１１Ｃに支持される保持金具１４および１５の間に挿入され（図１参照）、挿入を受ける各保持金具１４、１５の間には、密閉性を有する弾性クッション材１６が予め配設される。一方、防湿断熱ボード材１３の下端部は、アンカーボルト１７により床面部１１Ｂに支持されるチャンネル状の保持レール１８に挿入・保持されることとなる。防湿断熱ボード材１３は、その上端部において、各保持金具１４、１５を貫挿されるボルト１９とナット２０により天井部１１Ｃに固定されることとなる。さらに防湿断熱ボード材１３は、その下端部において、保持レール１８にボルト止めされることとなる。
【００１７】
また全体方形状のパネル体からなる防湿断熱ボード材１３は、内壁部１１Ａに対する平面方向から観て、それぞれ連接されることとなり（図４参照）、図４において左端側の連接部をコ字形の連接凹部２１Ａとし、また右端側を隣接するボード材１３の連接凹部２１Ａに挿入し、嵌合される連接凸部２１Ｂとしている。連接凹部２１Ａ内には、予め密閉性を有する弾性クッション材１６が配設される。
【００１８】
こうして内壁部１１Ａに対して間隙１２が形成される状態で、コンクリート躯体１１の室内側が防湿断熱ボード材１３で覆われることとなる。一方、コンクリート躯体１１の床面部１１Ｂ上には、図１に示されるように綱製の支持金具２３が配設され、該支持金具２２上に綱製の床組材２３が配設される。さらに床組材２３の上部には、面状の耐水合板材２４が配設され、床面部１１Ｂに対して間隙１２Ａが形成される状態で防水性を有する床面が室内側に形成されることとなる。
【００１９】
耐水合板材２４の上面にあっては、防湿断熱ボード材１３との間に間隙３２を形成する状態で木製の軸組２５が配設される（図１参照）。この軸組２５は、上端部を天井部１１Ｃに、下端部を耐水合板材２４に支持してなる柱材２５Ａと、両端部を柱材２５Ａに接続し、耐水合板材２４上に配設される下梁材２５Ｂと、両端部を柱材２５Ａに支持し、各柱材２５Ａ間に掛け渡される上梁材２５Ｃとにより形成される。こうして複数本の柱材Ａと各梁材２５Ｂ、２５Ｃを縦横に接続して形成される軸組にあっては、図１あるいは図４に示すように、防湿断熱ボード材１３との間に、間隙３２を形成する状態でその室内側に配設されるパネル体２６の各辺部を挿入・支持可能とする凹部２７が形成される。
【００２０】
軸組２５に対して支持されるパネル体２６は、図３に示すように１対の柱材２５Ａの間において、上下方向３枚連接する状態で配設され、石こうボードや木版材からなる支持板材２６Ａの表面（収蔵室１０側）に、珪藻土のタイルパネル２６Ｂを貼着して形成される。すなわち、柱材２５Ａ、下梁材２５Ｂ、上梁材２５Ｃの各凹部２７に挿入・支持されるのは、パネル体２６のうち支持板材２６Ａの、しかも実際に柱材２５Ａ、下梁材２５Ｂ、上梁材２５Ｃと対応する辺部に係り、例えば図３に示される上下３つのパネル体２６の上段のパネル体２６の下辺部、中段のパネル体２６の上下の辺部、下段のパネル体２６の上片部は凹部２７には支持されない状態とされる。すなわちこれらの辺部は、互いに衝合されることとなる。
【００２１】
パネル体２６の支持板材２６Ａの表面に貼着される珪藻土のタイルパネル２６Ｂは、珪藻頁岩あるいは珪藻土の粉砕物の単体、あるいは該粉砕物と他のセラミック原料とを混合し、焼成されるもので、調湿性並びに保水性に優れ、近年建築内装材として注目を集めている。特に北海道の稚内珪藻土を利用した珪藻土のもしくは珪藻頁岩の粉砕物を焼成したタイルパネル２６Ｂは、調湿性に優れ、しかも安価とされる。タイルパネル２６Ｂは、珪藻頁岩あるいは珪藻土の粉砕物、あるいはこれと他のセラミック原料とを混合し、これを水と混練した後、タイルパネル状にプレス成形して自然乾燥する。その後８００℃程度の高温で焼成するとタイルパネル２６Ｂが成形されることとなる。このタイルパネル２６Ｂは、支持板材２６Ａの表面に接着剤を用いて貼着され、実施形態では１枚の支持板材２６Ａの表面に９枚のタイルパネル２６Ｂを貼着して構成するようにしている（図２、図３参照）。
【００２２】
こうして、コンクリート躯体１１の内壁部１１Ａの室内側が防湿断熱ボード材１３に覆われ、さらにその内側に間隙３２が形成される状態でパネル体２６が配設されることとなり、内壁面が珪藻土のタイルパネル２６Ｂにより覆われた収蔵室１０が完成されることとなる（図２、図３参照）。収蔵物１０の床面には、合板材２４の上部にフローリング材２８が敷設される（図１参照）。一方、天井部１１Ｃにあっては、吊持部材２９が配設され、該吊持部材２９並びに軸組２５に支持される状態で、収蔵室１０の上方にはＦｏ耐水合板並びに従来、博物館収蔵庫の内面材で用いられている無機質系調湿ボード３１天井面が配設されることとなる（図１参照）。
【００２３】
こうして形成される収蔵室１０内には、例えば図１に示すように支持部材３３に立て掛けるように絵画等の被収蔵物３４が収蔵されたり、またラックをフローリング材２８上に配置して、該ラックに塗物、文献などの被収蔵物を収蔵することが可能となる。このようにして構成される収蔵庫は、コンクリート躯体１１が外気温の変化に基づいて温度変化し、水蒸気が発生したとしても、先ず、室内側が防湿断熱ボード材１３により遮断されることとなる。加えて防湿断熱ボード材１３の室内側には、間に間隙３２が形成されている状態でタイルパネル２６Ｂを備えたパネル体２６が配設され、収蔵室１０の内壁面において、直接タイルパネル２６Ｂが露出される状態となる。
【００２４】
これにより、収蔵室１０内は、該タイルパネル２６Ｂにより自然調湿されることとなり、例えば収蔵室１０において、一度に多くの人が出入りしたりして湿度が上昇する場合にあっては、タイルパネル２６Ｂが空気中の水分を吸収することとなる。収蔵室１０内の空気が乾燥した場合は、空気中に対し、タイルパネル２６Ｂが水分を発散することとなる。したがって、収蔵室１０内においては、常時空調機を作動させなくとも一定の湿度、あるいは温度状態を保持させることが可能となり、その分空調機のエネルギーコストを節約することができる。また、タイルパネル２６Ｂは、同じく調湿機能を果たす杉製あるいは桐製の板材などの内装材に比べて安価かつ、安定した品質であり、収蔵室１０の建設にかかるコストを低下させ、性能を向上させることができる。しかもタイルパネル２６Ｂは、一般のベニア板材のように有機系のガスを発生したりして被収蔵物３４に悪影響を与えることもない。この結果、収蔵室１０内に収蔵される被収蔵物３４は、一定の温度並びに湿度状態で安全に収蔵されることとなり、また収蔵に掛かるコストも低減できることとなる。
【００２５】
なお、こうしてコンクリート躯体１１内で防湿断熱ボード材１３により区切られた収蔵室１０内において、さらに小さな区画の収蔵室１０を画成する場合、図５に示すように前記コンクリート躯体１１に対してその内壁部１１Ａを覆う防湿断熱ボード材１３と連続する防湿断熱ボード材１３で１つの部屋１０を２つに区画し、各防湿断熱ボード材１３の表裏面にそれぞれ間に間隙３２を形成する状態でパネル体２６を配設することとすればよい。
【００２６】
なお、図２において扉３８は断熱・耐火扉とされる。また本実施形態において、図１で２点鎖線で示すように天井部内でコンクリート製の天井部１１Ｃに対し間隔を形成する状態で防湿断熱ボード材１３を配設することとしてもよい。同様に、床面において、耐水合板材２４の下面に、床面部１１Ｂとの間に間隙を形成する状態で防湿断熱ボード材１３を配設し、コンクリート駆体内にあって防湿断熱ボード材１３で囲繞する空間内に収蔵室１０を形成するようにしてもよい。
【００２７】
図６は図１の実施形態の変形例に係る。この変形例においては、パネル体３６として軸組２５に支持される支持板材２６Ａの表面（収蔵室１０側）に珪藻頁岩等のタイルパネル２６Ｂを、間にスペーサ３５を介装させるよう被着させてなる。すなわち、タイルパネル２６Ｂは、支持板材２６Ａに接着剤で貼着されるスペーサ３５に、同じく接着剤で貼着され、支持板材２６Ａとの間に間隙３７を形成するようにしている。このような変形例によれば、収蔵室１０の空間においてタイルパネル２６Ｂの表面とスペーサ３５が介装される裏面が露出することとなり、収蔵室１０における調湿機能が、より増大することとなる。
【００２８】
【実施例】
図７ないし図８は本発明の実施例に係り、請求項２に対応する収蔵庫４０に係る。この収蔵庫４０は、図７に示すように建築躯体４１からなる建造物の内部に配設される函状体とされる。収蔵庫４０は建造物内を区画する区画壁４２に支持される扉ユニット４３の扉体４４により、その内部に出入り可能とされ、該扉体４４は気密構造をなし、いわゆる断熱・耐火扉とされる。
【００２９】
建造物の室内空間を画成する建築躯体４１は、図８に示すように内壁部４１Ａ、床面部４１Ｂ、天井部４１Ｃからなる各内面部を備え、収蔵庫４０は内壁部４１Ａとの間に間隙を形成する状態で配設される防湿断熱ボード材１３（防湿断熱体）、並びに天井部４１Ｃとの間に間隙を形成する状態で配設される防湿断熱ボード材１３（防湿断熱体）を備える。さらに床面部４１Ｂ上においても防湿断熱ボード材１３が配設され、これら各ボード材１３の端部同士には気密に接合され、これにより、内部を被収蔵物の収蔵室とし、建造物内において各防湿断熱ボード材１３により囲繞された函状体が形成されることとなる。各防湿断熱ボード材１３の構成は前記実施形態と略同様であり、説明を省略する。
【００３０】
収蔵庫４０における床面部４１Ｂ上の防湿断熱ボード材１３の上部には床軸組４５が配設され、該床軸組４５上には不透湿性の床下面材４６が支持される。この床下面材４６上には床仕上材４７が貼着され、この床仕上材４７上の空間が被収蔵物の収蔵室５０となる。
【００３１】
一方、天井部４１Ｃ側に配設される防湿断熱ボード材１３の下面には、耐水合板材４８が貼着され、さらに該合板材４５の下面には天井仕上材４９が貼着される。
【００３２】
内壁部４１Ａとの間に間隙を形成する状態で立設される防湿断熱ボード材１３の収蔵室５０側には、該防湿断熱ボード材１３との間に間隙３２を形成する状態で木製の軸組２５が配設され、この軸組２５も前記図１ないし図５に示す実施形態と同様、杭材２５Ａ、下梁材２５Ｂ、上梁材２５Ｃ等により構成される。これらの各軸組２５においても前記実施形態と同様、支持板材２６Ａの収蔵室５０側にタイルパネル２６Ｂを貼着したパネル体２６が支持されることとなる。
【００３３】
こうして、建築躯体４１からなる建造物の内部において、函状体からなる収蔵庫４０を設置することが可能となり、前記実施形態と同様収蔵室５０内において被収蔵物を保存することが可能となる。
【００３４】
なお、タイルパネル２６Ｂについては、この実施例のように収蔵室５０の内壁材としてばかりでなく、図８において２点鎖線で示すように天井材５としても利用することができる。
【００３５】
【発明の効果】
以上説明したように、本発明によれば、安価な構成により収蔵室内の調湿性能、空調性能を向上し、エネルギーコストの低減が可能な収蔵庫を提供できるという効果がある。さらに、従来の収蔵庫では例えば室内の内壁材として杉板材、桐板材等の木質系の仕上材を使用しており熱容量が小さいため、収蔵庫内の熱負荷に対しては平衡均状態を保つ能力を期待できなかった。これに対し、本発明においては収蔵庫の内面材として珪藻頁岩あるいは珪藻土から形成されるパネル体を使用するので、熱容量が大きく、収蔵庫内に熱負荷が発生した場合、室内温度を設定温度から大きく変化させないという効果がある。
【図面の簡単な説明】
【図１】  本発明の一実施形態に係る収蔵庫の構造を示し、図３のＩ−Ｉ線に沿う断面図である。
【図２】  収蔵庫の収蔵室内部を示す斜視図である。
【図３】  収蔵室の内壁面を示す正面図である。
【図４】  図１のＩＶ−ＩＶ線に沿いパネル体の連接状態を示す平面断面図である。
【図５】  収蔵室の間仕切り部分を示す図４と同様の平面断面図である。
【図６】  図１の変形例を示す断面図である。
【図７】  本発明の一実施例に係る収蔵庫の斜視図である。
【図８】  図７に示す収蔵庫に係る図１と同様の断面図である。
【図９】  従来の収蔵庫の構造を示す縦断面図である。
【符号の説明】
１、１１                        コンクリート躯体
１Ａ                            躯体内面部
２、１２、１２Ａ、３２  ３７    間隙
１３                            防湿断熱ボード材
３Ａ                            アルミ板材
３Ｂ                            石こうボード
４、２５                        軸組
５                              床板材
６                              壁板材
７、１０、５０                  収蔵室
８                              桁材
１１Ａ                          内壁部
１１Ｂ                          床面部
１１Ｃ                          天井部
１３Ａ                          アルミ板材
１３Ｂ                          発泡断熱材
１４、１５                      保持金具
１６                            弾性クッション
１７                            アンカーボルト
１８                            保持レール
１９                            ボルト
２０                            ナット
２１Ａ                          連接凹部
２１Ｂ                          連接凸部
２２                            支持金具
２３                            床組材
２４                            耐水合板材
２５Ａ                          柱材
２５Ｂ                          下梁材
２５Ｃ                          上梁材
２６、３６                      パネル材
２６Ａ                          支持板材
２６Ｂ                          タイルパネル
２７                            凹部
２８                            フローリング材
２９                            吊持部材
３０                            Ｆｏ耐水合板
３１                            無機質系調湿材
３３                            支持部材
３４                            被収蔵物
３５                            スペーサ
３８                            扉
４０                            収蔵庫
４１                            建築躯体
４２                            区画壁
４３                            扉ユニット
４４                            扉体
４５                            床軸組
４６                            床下面材
４７                            床仕上材
４８                            耐水合板材
４９                            天井仕上材
【図１】
0003673897.tif 000002
【図２】
0003673897.tif 000003
【図３】
0003673897.tif 000004
【図４】
0003673897.tif 000005
【図５】
0003673897.tif 000006
【図６】
0003673897.tif 000007
【図７】
0003673897.tif 000008
【図８】
0003673897.tif 000009
【図９】
0003673897.tif 000010